(57)【特許請求の範囲】
【請求項１】
入射する光のうち少なくとも所定の波長の光成分を含む光を反射する複数の中間膜と、
前記中間膜を介して入射する光を受光する複数の受光素子と、
光を発すると共に、前記複数の受光素子の夫々との間に前記複数の中間膜が配置される複数の発光素子と
を備え、
前記複数の中間膜の夫々は、前記複数の発光素子の夫々と対になって配置されており、対になる前記発光素子から発せられる光を反射すると共に、対になる前記発光素子から発せられる光の波長以外の波長の光成分を透過することを特徴とする表示装置。
【請求項２】
前記受光素子は、有機受光素子を含むことを特徴とする請求項１に記載の表示装置。
【請求項３】
前記入射する光の光路に沿って、前記複数の発光素子のうちの一の発光素子、前記一の発光素子と対になる前記複数の受光素子のうちの一の受光素子及び前記一の発光素子と対になる前記複数の中間膜のうちの一の中間膜の夫々が積層されていることを特徴とする請求項１に記載の表示装置。
【請求項４】
前記複数の発光素子のうちの一の発光素子は、前記入射する光の光路を基準として、前記一の発光素子に対応する前記複数の受光素子のうちの一の受光素子と異なる位置に配置されていることを特徴とする請求項１に記載の表示装置。
【請求項５】
入射する光を略１００％反射する反射膜が、前記一の発光素子の周囲に形成されることを特徴とする請求項４に記載の表示装置。
【請求項６】
前記複数の受光素子の夫々は、前記複数の発光素子の夫々と１：Ｌ（Ｌは、１以上の整数）で対応していることを特徴とする請求項１に記載の表示装置。
【請求項７】
前記複数の発光素子は、有機ＥＬ（Electro Luminescence）素子を含むことを特徴とする請求項１に記載の表示装置。
【請求項８】
前記複数の発光素子は、無機ＥＬ素子を含むことを特徴とする請求項１に記載の表示装置。
【請求項９】
前記発光素子及び前記受光素子の夫々から離れた位置において、前記複数の発光素子のうちの少なくとも一つから発せられる光を反射する反射膜を備えたポインタを更に備えることを特徴とする請求項１に記載の表示装置。
【請求項１０】
前記反射膜は、前記複数の発光素子のうちの少なくとも一つから発せられる光のうち所定の波長の光成分を選択的に反射することを特徴とする請求項９に記載の表示装置。
【請求項１１】
前記複数の発光素子のうちの少なくとも一つから発せられる光のうち所定の波長の光成分を選択的に透過する半透過膜が前記反射膜上に形成されていることを特徴とする請求項９に記載の表示装置。
【請求項１２】
前記ポインタは、前記複数の発光素子のうちの少なくとも一つから発せられる光を前記受光素子に向けて反射する第一状態及び前記前記複数の発光素子のうちの少なくとも一つから発せられる光を前記受光素子に向けて反射しない第二状態を相互に切替可能であって、
前記第一状態及び前記第二状態を切り替える切替手段を更に備えることを特徴とする請求項９に記載の表示装置。
【請求項１３】
前記ポインタは、前記反射膜の反射面の当該ポインタに対する角度を変化させることで、前記第一状態及び前記第二状態を相互に切替可能であることを特徴とする請求項１２に記載の表示装置。
【請求項１４】
前記複数の受光素子の夫々の受光量を監視する監視手段と、
前記複数の受光素子のうち少なくとも一つの受光量が所定の閾値以上であるか否かを判定する判定手段と、
前記少なくとも一つの受光素子の受光量が前記閾値を超えていると判定された場合、前記少なくとも一つの受光素子と１：Ｍ（Ｍは、１以上の整数）で対応する前記複数の発光素子のうちの少なくとも一つから光を発するように前記複数の発光素子の夫々を制御する制御手段と
を更に備えることを特徴とする請求項１に記載の表示装置。
【請求項１５】
前記複数の受光素子の夫々の受光量を監視する監視手段と、
前記複数の受光素子のうち少なくとも一つの受光素子の受光量が所定の閾値以上であるか否かを判定する判定手段と、
前記少なくとも一つの受光素子の受光量が前記閾値を超えていると判定された場合、当該表示装置の外部に設けられており且つ光を発する複数の発光素子を備える発光手段に対して、前記少なくとも一つの受光素子と１：Ｎ（Ｎは、１以上の整数）で対応する前記複数の発光素子のうちの少なくとも一つから光を発するように前記複数の発光素子の夫々を制御する制御手段と
を更に備えることを特徴とする請求項１に記載の表示装置。
【請求項１６】
光を発する複数の発光素子と、
前記発光素子を介して入射する光を受光する複数の受光素子と、
前記複数の発光素子と前記複数の受光素子との間に配置され、且つ入射する光のうち所定の波長の光成分を反射する複数の中間膜と
を備え、
前記複数の発光素子のうちの一の発光素子は、前記入射する光の光路を基準として、前記一の発光素子に対応する前記複数の受光素子のうちの一の受光素子と異なる位置に配置されており、
前記複数の中間膜の夫々は、前記複数の発光素子の夫々と対になって配置されており、対になる前記発光素子から発せられる光を反射すると共に、対になる前記発光素子から発せられる光の波長以外の波長の光成分を透過することを特徴とする表示装置。
【発明の詳細な説明】
【技術分野】
【０００１】
本発明は、ポインタ等を用いてユーザが指定している場所を表示面上に表示する機器に関しており、特にこのような機器を含むディスプレイ等の表示装置に関する。
【背景技術】
【０００２】
例えば液晶ディスプレイやプラズマディスプレイ等の表示装置において、プレゼンテーター等がその表示面をなぞることで、プレゼンテーターがなぞった部分を、他の映像と区別可能な特殊な態様で表示面上に表示する技術が開発されている。例えば、特許文献１に示すように、表示面中に赤外線センサ等を埋め込んでおき、プレゼンテーターが、赤外光を照射する特殊なペンで表示面をなぞることで、赤外線センサによる赤外光の検出結果に基づいて、プレゼンテーター等が指し示す部分を表示面上に所定のマーカにて表示する技術が開発されている。或いは、赤外光に代えて、例えば超音波等を用いても同様の構成を採用することができる。また、例えば、表示面の前面にタッチパネルを配置し、プレゼンテーターが触った部分を表示面上に対応付けて所定のマーカにて表示する技術も開発されている。【０００３】
【特許文献１】特開平３−３１６７７０号公報
【発明の開示】
【発明が解決しようとする課題】
【０００４】
このように、上述した技術では、赤外光や超音波等を使用していたり或いはタッチパネルを利用している。【０００５】
本発明が解決しようとする課題には上記のようなものが一例として挙げられる。本発明は、新たな態様で、ユーザ等が指し示す表示面上の所望の部分をマーカ等にて表示することができる表示装置を提供することを課題とする。
【課題を解決するための手段】
【０００６】
上記課題を解決するために、本発明の第１表示装置は、入射する光のうち少なくとも所定の波長の光成分を含む光を反射する複数の中間膜と、前記中間層を介して入射する光を受光する複数の受光素子とを備える。【０００７】
本発明の第１表示装置によれば、受光素子には、半透過膜を介して外部から光が入射する。中間膜では、所定の波長の光成分を選択的に反射し、他方、該所定の波長以外の波長の光成分を選択的に透過する。ここに、「中間膜」は、必ずしも所定の波長の光成分の１００％を反射する膜を示すことに限定されず、所定の波長の光成分にとっての反射膜となり得る程度に所定の波長の光成分を反射する（例えば、所定の波長の光成分の概ね５０％以上を反射する）ことができれば足りる趣旨である。加えて、「中間膜」は、必ずしも所定の波長以外の波長の光成分の１００％を透過する膜を示すことに限定されず、所定の波長の以外の波長の光成分にとっての透過膜となり得る程度に所定の波長の光成分を反射する（例えば、所定の波長以外の波長の光成分の概ね５０％以上を透過する）ことができれば足りる趣旨である。これは、所定の波長の光成分を１００％反射し、それ以外の波長の光成分を１００％透過する膜を製造することが現実的に困難であることからも導かれる事実である。【０００８】
これにより、例えばユーザが光等を照射することができるポインタ等を用いて表示装置の面（例えば、受光素子から見た場合の光の入射面等）上をなぞる或いは指し示すことで、ユーザがなぞった或いは指し示した部分の受光素子の受光量が増加する。このため、受光素子の受光量を監視する（モニタリングする）ことで、ユーザが何れの部分をなぞっているか或いは指し示しているかを認識することができる。その結果、例えば当該表示装置の内部に或いは外部に備えるディスプレイモニター等の表示手段に、ユーザがなぞった或いは指し示した部分を所定の形状のマーカ等にて表示させることができる。これにより、ユーザは、表示手段に表示されている映像等に関連付けて、表示手段上の所望の部分を指し示すことができる。或いは、ユーザは、表示手段に所望の文字や所望の形状を有する図形等を描画することができる。【０００９】
特に、受光素子には、所定の波長の光成分を選択的に反射する中間膜を介して光が入射する。言い換えれば、受光素子には、所定の波長以外の波長の光成分が選択的に入射する。このため、表示装置は、受光素子に入射した光の色等をも認識することができる。従って、例え、ユーザがいずれの色の光で表示装置の面上をなぞっている或いは指し示しているかに応じて、対応する色のマーカ等を表示手段に表示させることもできる。【００１０】
本発明の第１表示装置の一の態様は、前記受光素子は、有機受光素子（例えば、有機太陽電池等）を含む。【００１１】
この態様によれば、印刷法（例えば、インクジェット法等）により、薄膜状の受光素子を形成することができる。これにより、表示装置の薄型化を図ることができる。【００１２】
本発明の第１表示装置の他の態様では、光を発すると共に、前記複数の受光素子の夫々との間に前記複数の中間膜が配置される複数の発光素子を更に備える。【００１３】
この態様によれば、発光素子から発せられた光は、例えばユーザが有する例えばペン型のポインタにより反射され、その後に発光素子を介して受光素子に入射する。即ち、表示装置の面（例えば、表示面等）上を、ユーザがポインタ等を用いてなぞる或いは指し示すことで、ユーザがなぞった或いは指し示した部分の受光素子の受光量が増加する。このため、受光素子の受光量を監視する（モニタリングする）ことで、ユーザが何れの部分をなぞっているか或いは指し示しているかを認識することができる。その結果、当該表示装置が備える複数の発光素子を用いて、ユーザがなぞった或いは指し示した部分を所定の形状のマーカ等にて表示させることができる。これにより、ユーザは、複数の発光素子が光を発することで表示されている映像等に関連付けて、表示面上の所望の部分を指し示すことができる。或いは、ユーザは、表示面に所望の文字や所望の形状を有する図形等を描画することができる。【００１４】
そして、発光素子は受光素子よりも表示面に近い側に配置されているため、発光素子から発せられる光の強度を大幅に落すことなく、例えばユーザやユーザが備えるポインタ等に向けて効率的に光を伝搬することができる。加えて、発光素子から発せられた光は、表示面の逆側に配置される中間膜において反射されるため、例えばユーザやユーザが備えるポインタ等に向けてより効率的に光を伝搬することができる。【００１５】
上述の如く発光素子及び中間膜の夫々を備える表示装置の態様では、前記複数の中間膜の夫々は、前記複数の発光素子の夫々と対になって配置されており、対になる前記発光素子から発せられる光の少なくとも一部を反射するように構成してもよい。加えて、上述の如く発光素子及び中間膜の夫々を備える表示装置の態様では、前記複数の中間膜の夫々は、前記複数の発光素子の夫々と対になって配置されており、対になる前記発光素子から発せられる光の波長以外の波長の光成分を透過するように構成してもよい。【００１６】
このように構成すれば、発光素子から発せられる光を、該発光素子と対になって配置されている中間膜によって好適に反射させることができる。従って、中間膜による反射の結果、発光素子から発せられた光を、ユーザやユーザが備えるポインタ等に向けて効率的に伝搬させることができる。これにより、発光素子から発せられた光の利用効率を向上させることができる。【００１７】
更には、受光素子には、発光素子から発せられた光の波長以外の波長の光成分が選択的に入射する。このため、発光素子から発せられた光を、ユーザやユーザが備えるポインタ等に向けて効率的に伝搬させることができると同時に、ユーザが備えるポインタ等において反射される光（或いは、ユーザが備えるポインタ等から照射される光）を、受光素子において好適に受光することができる。加えて、表示装置は、受光素子に入射した光の色等をも認識することができる。従って、ユーザがいずれの色の光で（或いは、いずれの色の光を反射させながら）表示面をなぞっている或いは指し示しているかに応じて、対応する色のマーカ等を、複数の発光素子を用いて表示することもできる。【００１８】
上述の如く発光素子及び中間膜を備える表示装置の態様では、前記入射する光の光路に沿って、前記複数の発光素子のうちの一の発光素子、前記一の発光素子と対になる前記複数の受光素子のうちの一の受光素子及び前記一の発光素子と対になる前記複数の中間膜のうちの一の中間膜の夫々が積層されているように構成してもよい。【００１９】
このように構成すれば、発光素子と受光素子と中間膜とを対にさせつつ、上述した利益を享受することができる。【００２０】
上述の如く発光素子を備える表示装置の態様では、前記複数の発光素子のうちの一の発光素子は、前記入射する光の光路を基準として、前記一の発光素子に対応する前記複数の受光素子のうちの一の受光素子と異なる位置に配置されているように構成してもよい。【００２１】
このように構成すれば、一の発光素子は、入射する光の光路を基準として、一の受光素子と相互に重ならない部分を有している。或いは、一の発光素子は、入射する光の光路を基準として、一の受光素子と相互に重ならない。即ち、一の発光素子と一の受光素子とは、入射する光の光路を基準としてずれた位置に夫々配置される。【００２２】
この構成においては更に、入射する光を略１００％反射する反射膜が、前記一の発光素子の周囲に形成されるように構成してもよい。【００２３】
このように構成すれば、発光素子から発せられた光を、ユーザやユーザが備えるポインタ等に向けてより効率的に伝搬させることができる。これにより、発光素子から発せられた光の利用効率を向上させることができる。そして、入射する光を略１００％反射する反射膜を形成したとしても、発光素子と受光素子とが、光の光路を基準としてずれているため、受光素子に光は好適に入射する。従って、反射膜を、受光素子へ光を導く導光路としても利用することができる。【００２４】
上述の如く発光素子を備える表示装置の態様では、前記複数の受光素子の夫々は、前記複数の発光素子の夫々と１：Ｌ（Ｌは、１以上の整数）で対応しているように構成してもよい。【００２５】
このように構成すれば、一つの受光素子で、複数の発光素子に対応させることができるため、受光素子の数を減らすことができる。【００２６】
上述の如く発光素子を備える表示装置の態様では、前記複数の発光素子は、有機ＥＬ（Electro Luminescence）素子を含むように構成してもよい。或いは、前記複数の発光素子は、無機ＥＬ素子を含むように構成してもよい。【００２７】
このように構成すれば、印刷法（例えば、インクジェット法等）により、薄膜状の発光素子を形成することができる。これにより、表示装置の薄型化を図ることができる。【００２８】
上述の如く発光素子を備える表示装置の態様では、前記発光素子及び前記受光素子の夫々から離れた位置において、前記複数の発光素子のうちの少なくとも一つから発せられる光を反射する反射膜を備えたポインタを更に備えるように構成してもよい。【００２９】
このように構成すれば、ポインタを用いて表示装置の表示面をなぞる或いは指し示すことで、ポインタに備えられた反射膜を介して発光素子から発せられた光が反射される。その結果、ユーザがポインタを用いてなぞった或いは指し示した部分の受光素子の受光量が増加する。従って、ユーザが何れの部分をなぞっているか或いは指し示しているかを認識することができるため、ユーザがなぞった或いは指し示した部分を所定の形状のマーカ等にて表示させることができる。【００３０】
上述の如くポインタを備える表示装置の態様では、前記反射膜は、前記複数の発光素子のうちの少なくとも一つから発せられる光のうち所定の波長の光成分を選択的に反射するように構成してもよい。【００３１】
このように構成すれば、ポインタの反射膜において反射する光を選択することができる。従って、ユーザは、ポインタを用いて、所望の波長の光成分を選択的に反射することができ、受光素子は、所望の波長の反射光を選択的に受光することができる。【００３２】
上述の如く所定の波長の光成分を選択的に反射する反射膜を備えるポインタを備える表示装置の態様では、前記複数の発光素子のうちの少なくとも一つから発せられる光のうち所定の波長の光成分を選択的に透過する半透過膜が前記反射膜上に形成されているように構成してもよい。【００３３】
このように構成すれば、半透過膜において、所定の波長の光成分が選択的に透過し、所定の波長以外の波長の光成分が減衰、散乱ないしは吸収されるため、反射膜においては、所定の波長の光成分が選択的に反射される。【００３４】
上述の如くポインタを備える表示装置の態様では、前記ポインタは、前記複数の発光素子のうちの少なくとも一つから発せられる光を前記受光素子に向けて反射する第一状態及び前記前記複数の発光素子のうちの少なくとも一つから発せられる光を前記受光素子に向けて反射しない第二状態を相互に切替可能であって、前記第一状態及び前記第二状態を切り替える切替手段を更に備えるように構成してもよい。【００３５】
このように構成すれば、例えばユーザの指示等に基づいて第一状態と第二状態とを切り替えることで、ポインタは、発光素子から発せられる光を反射したり或いは反射しなかったりすることができる。そして、第一状態と第二状態とを切り替えることで、後に詳述するように、表示面上に表示されたボタンの選択等を行うことができる。【００３６】
上述の如くポインタを備える表示装置の態様では、前記ポインタは、前記反射膜の反射面の当該ポインタに対する角度を変化させることで、前記第一状態及び前記第二状態を相互に切替可能であるように構成してもよい。【００３７】
このように構成すれば、反射膜の角度を機械的に、電気的に或いは磁気的に変化させることで、比較的容易に上述の第一状態と第二状態とを切り替えることができる。【００３８】
上述の如く発光素子を備える表示装置の態様では、前記複数の受光素子の夫々の受光量を監視する監視手段と、前記複数の受光素子のうち少なくとも一つの受光量が所定の閾値以上であるか否かを判定する判定手段と、前記少なくとも一つの受光素子の受光量が前記閾値を超えていると判定された場合、前記少なくとも一つの受光素子と１：Ｍ（Ｍは、１以上の整数）で対応する前記複数の発光素子のうちの少なくとも一つから光を発するように前記複数の発光素子の夫々を制御する制御手段とを更に備える。【００３９】
このように構成すれば、監視手段の動作により、複数の受光素子の受光量が監視（モニタリング）される。その際、判定手段の動作により、複数の受光素子のうち少なくとも一つの受光量が所定の閾値以上であるか否かが判定される。言い換えれば、判定手段の動作により、受光量が所定の閾値以上である受光素子が選択される。そして、制御手段の動作により、受光量が閾値を超えていると判定された受光素子に対応している発光素子から光を発するように、複数の発光素子が制御される。これにより、ユーザがポインタ等を用いてなぞった或いは指し示した部分を好適に認識することができると共に、当該部分を所定の形状のマーカ等にて表示させることができる。【００４０】
本発明の第1表示装置は、前記複数の受光素子の夫々の受光量を監視する監視手段と、前記複数の受光素子のうち少なくとも一つの受光素子の受光量が所定の閾値以上であるか否かを判定する判定手段と、前記少なくとも一つの受光素子の受光量が前記閾値を超えていると判定された場合、当該表示装置の外部に設けられており且つ光を発する複数の発光素子を備える発光手段に対して、前記少なくとも一つの受光素子と１：Ｎ（Ｎは、１以上の整数）で対応する前記複数の発光素子のうちの少なくとも一つから光を発するように前記複数の発光素子の夫々を制御する制御手段とを更に備える。【００４１】
この態様によれば、監視手段の動作により、複数の受光素子の受光量が監視され、判定手段の動作により、複数の受光素子のうち少なくとも一つの受光量が所定の閾値以上であるか否かが判定される。そして、制御手段の動作により、例えば外部のディスプレイ等の発光手段が備える複数の発光素子のうちの受光量が閾値を超えていると判定された受光素子に対応している発光素子から光を発するように、複数の発光素子が制御される。これにより、ユーザがポインタ等を用いてなぞった或いは指し示した部分を好適に認識することができると共に、当該部分を所定の形状のマーカ等にて表示させることができる。【００４２】
上記課題を解決するために、本発明の第２表示装置は、光を発する複数の発光素子と、前記発光層を介して入射する光を受光する複数の受光素子とを備え、前記複数の発光素子のうちの一の発光素子は、前記入射する光の光路を基準として、前記一の発光素子に対応する前記複数の受光素子のうちの一の受光素子と異なる位置に配置されている。【００４３】
本発明の第２表示装置によれば、発光素子から発せられた光は、例えばユーザが有する例えばペン型のポインタにより反射され、その後に発光素子を介して受光素子に入射する。即ち、表示装置の面（例えば、表示面等）上を、ユーザがポインタ等を用いてなぞる或いは指し示すことで、ユーザがなぞった或いは指し示した部分の受光素子の受光量が増加する。このため、受光素子の受光量を監視する（モニタリングする）ことで、ユーザが何れの部分をなぞっているか或いは指し示しているかを認識することができる。その結果、当該表示装置が備える複数の発光素子を用いて、ユーザがなぞった或いは指し示した部分を所定の形状のマーカ等にて表示させることができる。これにより、ユーザは、複数の発光素子が光を発することで表示されている映像等に関連付けて、表示面上の所望の部分を指し示すことができる。或いは、ユーザは、表示面に所望の文字や所望の形状を有する図形等を描画することができる。【００４４】
特に、第２表示装置においては、一の発光素子は、入射する光の光路を基準として、一の受光素子と相互に重ならない部分を有している。或いは、一の発光素子は、入射する光の光路を基準として、一の受光素子と相互に重ならない。即ち、一の発光素子と一の受光素子とは、入射する光の光路を基準としてずれた位置に夫々配置される。従って、受光素子には、発光素子の隙間等を介して光が入射することができるため、上述した中間膜を備えていなくとも、ユーザは、複数の発光素子が光を発することで表示されている映像等に関連付けて、表示面上の所望の部分を指し示すことができる。【００４５】
尚、上述した本発明の第１表示装置の各種態様に対応して、本発明の第２表示装置も各種態様を採用することができる。【００４６】
本発明の第２表示装置の一の態様では、前記複数の発光素子と前記複数の受光素子との間に配置され、且つ入射する光のうち所定の波長の光成分を反射する複数の中間膜を更に備える。【００４７】
この態様によれば、発光素子から発せられた光を、中間膜によって反射させることができる。従って、中間膜による反射の結果、発光素子から発せられた光を、ユーザやユーザが備えるポインタ等に向けて効率的に伝搬させることができる。これにより、発光素子から発せられた光の利用効率を向上させることができる。【００４８】
加えて、受光素子には、所定の波長の光成分を選択的に反射する中間膜を介して光が入射するため、表示装置は、受光素子に入射した光の色等をも認識することができる。従って、第１表示装置と同様に、ユーザがいずれの色の光で（或いは、いずれの色の光を反射させながら）表示面をなぞっている或いは指し示しているかに応じて、対応する色のマーカ等を、複数の発光素子を用いて表示することもできる。【００４９】
本発明のこのような作用及び他の利得は次に説明する実施例から明らかにされる。【００５０】
以上説明したように、本発明の第１表示装置によれば、受光素子及び中間膜を備える。また、本発明の第２表示装置によれば、発光素子及び受光素子を備え、一の発光素子は、入射する光の光路を基準として、一の発光素子に対応する一の受光素子と異なる位置に配置されている。従って、ユーザが指し示す表示面上の所望の部分をマーカ等にて表示することができる。
【図面の簡単な説明】
【００５１】
【図１】本実施例に係る表示システムの基本構成を概略的に示す斜視図である。
【図２】本実施例に係る表示システム内の、ディスプレイの画素の配置を概略的に示す平面図である。
【図３】本実施例に係る表示システム中の、ディスプレイの画素の構造を概略的に示す断面図である。
【図４】本実施例に係る表示システム中の、ディスプレイの画素の構造を詳細に示す断面図である。
【図５】本実施例に係る表示システムの動作の一の態様を概念的に示す断面図である。
【図６】本実施例に係る表示システムの動作の他の態様を概念的に示す断面図である。
【図７】本実施例に係る表示システムに用いられるポインタのより具体的な一の構成を概念的に示す断面図である。
【図８】本実施例に係る表示システムに用いられるポインタのより具体的な他の構成を概念的に示す断面図である。
【図９】更に他の構成を採用するポインタを用いた場合の、本実施例に係る表示システムの動作の態様を概念的に示す断面図である。
【図１０】本実施例に係る表示システムの第１の変形例を概念的に示す断面図である。
【図１１】本実施例に係る表示システムの第２の変形例を概念的に示す平面図である。
【図１２】本実施例に係る表示システムの第３の変形例を概念的に示す断面図である。
【図１３】本実施例に係る表示システムの第４の変形例を概念的に示す断面図である。
【図１４】本実施例に係る表示システムの第５の変形例を概念的に示す断面図である。
【符号の説明】
【００５２】
１  表示システム
１００  ディスプレイ
１１０Ｒ、１１０Ｇ、１１０Ｂ  発光素子
１２０Ｒ、１２０Ｇ、１２０Ｂ  波長依存性半透過膜
１３０Ｒ、１３０Ｇ、１３０Ｂ  受光素子
２００  ポインタ
２０１  反射膜
【発明を実施するための最良の形態】
【００５３】
以下、本発明を実施するための最良の形態について実施例毎に順に図面に基づいて説明する。【００５４】
（１）基本構成
初めに、図１から図４を参照して、本実施例に係る表示システムの基本構成について説明する。ここに、図１は、本実施例に係る表示システムの基本構成を概略的に示す斜視図であり、図２は、本実施例に係る表示システム内のディスプレイの画素の配置を概略的に示す平面図であり、図３は、本実施例に係る表示システム中のディスプレイの画素の構造を概略的に示す断面図であり、図４は、本実施例に係る表示システム中のディスプレイの画素の構造を詳細に示す断面図である。【００５５】
図１に示すように、本実施例に係る表示システム１は、所定の映像等を表示するためのディスプレイ１００と、該ディスプレイ１００に所定のマーカ等（例えば、直線や曲線や図形やアイコン等）を描くために用いられる、先端に反射膜２０１を備えたポインタ２００とを備える。ユーザがポインタ２００を用いてディスプレイ１００の表示面上をなぞる或いは指し示すことで、ディスプレイ１００上には、図１に示すように、ユーザがなぞった或いは指し示した部分に対応して所定のマーカ等が表示される。【００５６】
図２に示すように、ディスプレイ１００は、マトリクス状に配置されたＲＧＢの３種類の画素を備えて構成されている。ディスプレイ１００に入力される映像信号等に応じて、これら３種類の画素を選択的に発光させることで、ディスプレイ１００の表示面上に所定の映像等が表示される。【００５７】
ＲＧＢの３種類の画素の断面図を図３に示す。図３に示すように、各画素は、透明なガラス基板等からなる上側部材１０５及び下側部材１４０との間に挟まれるように配置されている。Ｒの画素（即ち、赤色光を発する画素）は、赤色光（具体的には、概ね６６０ｎｍ程度の波長を有する光）を発する発光素子１１０Ｒと、本発明の「中間膜」の一具体例を構成する波長依存性半透過膜１２０Ｒと、光を受光する受光素子１３０Ｒとを備える。波長依存性半透過膜１２０Ｒは、赤色光以外の光の大部分（例えば、略５０％以上であって、好ましくは略７５％以上であって、より好ましくは略９０％以上）を選択的に透過すると共に、赤色光の大部分（例えば、略５０％以上であって、好ましくは略７５％以上であって、より好ましくは略９０％以上）を選択的に反射する。より具体的には、波長依存性半透過膜１２０Ｒは、発光素子１１０Ｒから発せられる赤色光或いはディスプレイ１００の外部より入射する赤色光の大部分を反射すると共に、ディスプレイ１００の外部より入射する赤色光以外の光の大部分を透過する。【００５８】
また、Ｇの画素（即ち、緑色光を発する画素）は、緑色光（具体的には、概ね５２０ｎｍ程度の波長を有する光）を発する発光素子１１０Ｇと、本発明の「中間膜」の一具体例を構成する波長依存性半透過膜１２０Ｇと、光を受光する受光素子１３０Ｇとを備える。波長依存性半透過膜１２０Ｇは、緑色光以外の光の大部分（例えば、略５０％以上であって、好ましくは略７５％以上であって、より好ましくは略９０％以上）を選択的に透過すると共に、緑色光の大部分（例えば、略５０％以上であって、好ましくは略７５％以上であって、より好ましくは略９０％以上）を選択的に反射する。より具体的には、波長依存性半透過膜１２０Ｇは、発光素子１１０Ｇから発せられる緑色光或いはディスプレイ１００の外部より入射する緑色光の大部分を反射すると共に、ディスプレイ１００の外部より入射する緑色光以外の光の大部分を透過する。【００５９】
また、Ｂの画素（即ち、青色光を発する画素）は、青色光（具体的には、概ね４５０ｎｍ程度の波長を有する光）を発する発光素子１１０Ｂと、本発明の「中間膜」の一具体例を構成する波長依存性半透過膜１２０Ｂと、光を受光する受光素子１３０Ｂとを備える。波長依存性半透過膜１２０Ｂは、青色光以外の光の大部分（例えば、略５０％以上であって、好ましくは略７５％以上であって、より好ましくは略９０％以上）を選択的に透過すると共に、青色光の大部分（例えば、略５０％以上であって、好ましくは略７５％以上であって、より好ましくは略９０％以上）を選択的に反射する。より具体的には、波長依存性半透過膜１２０Ｂは、発光素子１１０Ｂから発せられる青色光或いはディスプレイ１００の外部より入射する青色光の大部分を反射すると共に、ディスプレイ１００の外部より入射する青色光以外の光の大部分を透過する。【００６０】
そして、受光素子１３０Ｒ、１３０Ｇ及び１３０Ｂの夫々には、本発明の「監視手段」の一具体例を構成する受光量検出回路１５０が接続されている。受光量検出回路１５０は、受光素子１３０Ｒ、１３０Ｇ及び１３０Ｂの夫々の受光量を検出し、検出した受光量を表示制御回路１６０等に出力する。【００６１】
また、発光素子１１０Ｒ、１１０Ｇ及び１１０Ｂの夫々は、本発明の「判定手段」及び「制御手段」の一具体例を構成する表示制御回路１６０の制御を受けて、光を発する。表示制御回路１６０は、ディスプレイ１００に入力される映像信号等に応じて、発光素子１１０Ｒ、１１０Ｇ及び１１０Ｂの夫々を選択的に発光させる。また、表示制御回路１６０は、受光量検出回路１５０において検出された受光量に応じても、発光素子１１０Ｒ、１１０Ｇ及び１１０Ｂの夫々を選択的に発光させる。係る動作については、後に詳述する（図５等参照）。【００６２】
続いて、各画素のより詳細な構成を説明する。図４に示すように、発光素子１１０Ｒ、１１０Ｇ及び１１０Ｃの夫々は、例えば有機ＥＬ素子であって、透明電極１１１と、正孔輸送層１１２と、発光層１１３と、電子輸送層１１４と、透明電極１１５とを備える。【００６３】
透明電極１１１は、光透過性を有するアノード電極であって、例えばＩＴＯ（Ｉｎｄｉｕｍ  Ｔｉｔａｎ  Ｏｘｉｄｅ）電極である。又、アノード電極として、ＩＴＯ電極に代えて、ＩＺＯ（Ｉｎｄｉｕｍ  Ｚｉｎｃ  Ｏｘｉｄｅ：インジウム・亜鉛・オキサイド）電極であってもよい。【００６４】
正孔輸送層１１２は、正孔を発光層１１３に円滑に移動させると共に、発光層１１３に流入した電子が正孔輸送層１１２に流入するのを防ぐ構成である。正孔輸送層１１２は、正孔移動度が相対的に大きい材料（特に、有機材料）を含んで構成されることが好ましい。【００６５】
発光層１１３は、実際に光を発する。より具体的には、透明電極１１１及び１１５の間に電圧が印加されることで、正孔輸送層１１２から流入する正孔と電子輸送層１１４から流入する電子との結合に起因する発光層１１３中の電子のエネルギー状態の変化により、光が発せられる。発光層１１３は、発光効率（量子効率）が高く、キャリア（即ち、正孔や電子）の輸送性が高い材料（特に、有機材料）を含んで構成されることが好ましく、いずれの色の光を発するかに応じて、好適な材料（特に、有機材料）を含んで構成されることが好ましい。【００６６】
電子輸送層１１４は、電子を発光層１１３に円滑に移動させると共に、発光層１１３に流入した正孔が電子輸送層１１４に流入するのを防ぐ構成である。電子輸送層１１４は、電子移動度が相対的に大きい材料（特に、有機材料）を含んで構成されることが好ましい。【００６７】
透明電極１１５は、光透過性を有するカソード電極であって、例えばＩＴＯ（Ｉｎｄｉｕｍ  Ｔｉｔａｎ  Ｏｘｉｄｅ）電極である。又、カソード電極として、ＩＴＯ電極に代えて、ＩＺＯ（Ｉｎｄｉｕｍ  Ｚｉｎｃ  Ｏｘｉｄｅ：インジウム・亜鉛・オキサイド）電極であってもよい。【００６８】
尚、透明電極１１１と正孔輸送層１１２との間に、例えばＣｕＰｃ（銅フタロシアニン）等を含む正孔注入層を更に備えていてもよいし、或いは電子輸送層１１４と透明電極１１５との間に、例えばＬｉＦ（フッ化リチウム）等を含む電子注入層を更に備えていてもよい。【００６９】
また、受光素子１３０Ｒ、１３０Ｇ及び１３０Ｂの夫々は、透明電極１３１と、有機材料を含む光電変換層１３２と、有機材料を含む電荷輸送層１３３と、センサ電極１３４とを備えている。【００７０】
光電変換層１３２に所定のエネルギー以上の光が照射されると、該光のエネルギーは光電変換層１３２に吸収され、光電変換層１３２内部における価電子の一部がエネルギーバンド上の禁制帯を飛び越えて伝導電子となり、他方、荷電子帯には正孔が発生する。この伝導電子は、電荷輸送層１３３を介して透明電極１３１及び１３４間を流れることで、透明電極１３１及び１３４間に電圧が生ずる。この電圧を測定することで、受光素子１３０Ｒ、１３０Ｇ及び１３０Ｂにおいて受光される光の受光量が測定される。【００７１】
（２）動作の態様
続いて、図５及び図６を参照して、表示システム１の動作の態様について説明する。ここに、図５は、本実施例に係る表示システム１の動作の一の態様を概念的に示す断面図であり、図６は、本実施例に係る表示システム１の動作の他の態様を概念的に示す断面図である。尚、説明の簡略化のため、以下では、発光素子１１０Ｂから発せられる青色光に注目して説明を進める。【００７２】
図５に示すように、ユーザがポインタ２００を用いてディスプレイの表面をなぞる或いは指し示している場合には、発光素子１１０Ｂから発せられる青色光は、ポインタ２００の先端部分に形成されている反射膜２０１において反射される。反射膜２０１において反射された青色光は、発光素子１１０Ｂ及び該発光素子１１０Ｂに近接する他の発光素子１１０Ｒ及び１１０Ｇ（更には、不図示の他の発光素子１１０Ｒ、１１０Ｇ及び１１０Ｂ）に入射する。【００７３】
このとき、発光素子１１０Ｂに入射した青色光の大部分は、波長依存性半透過膜１２０Ｂを透過することができない。即ち、発光素子１１０Ｂに入射した青色光の大部分は、波長依存性半透過膜１２０Ｂにおいて反射する。このため、発光素子１１０Ｂに入射した青色光の大部分は、受光素子１３０Ｂにおいて受光されず、発光素子１１０Ｂに入射した青色光の極一部が受光素子１３０Ｂにおいて受光される。その結果、受光素子１３０Ｂにおける受光量は、ポインタ２００によりディスプレイ１００の表示面がなぞられる或いは指し示される前の受光量と比較して、微増ないしは不変である。【００７４】
一方、発光素子１１０Ｂに近接する他の発光素子１１０Ｒ及び１１０Ｇに入射した青色光は、波長依存性半透過膜１２０Ｒ及び１２０Ｇを透過することができるため、受光素子１３０Ｒ及び１３０Ｇにおいて受光される。その結果、受光素子１３０Ｒ及び１３０Ｇの受光量は、ポインタ２００によりディスプレイ１００の表示面がなぞられる或いは指し示される前の受光量と比較して、増大する。【００７５】
このような受光量の変化は、受光素子１３０Ｒ、１３０Ｇ及び１３０Ｂの夫々に接続されている受光量検出回路１５０において検出される。従って、受光量検出回路１５０において検出される受光量が増大していれば（或いは、所定の閾値以上であれば）、ユーザがポインタ２００を用いて、少なくとも受光量が増大している（或いは、受光量が閾値以上である）受光素子１３０を含む画素をなぞる或いは指し示していることを認識することができる。このとき、ポインタ２００からの反射光を受光していない場合の受光素子１３０Ｒ、１３０Ｇ及び１３０Ｂの受光量（或いは、発光素子１１０Ｒ、１１０Ｇ及び１１０Ｂの夫々から光が発せられている場合における、ポインタ２００からの反射光を受光していない場合の受光素子１３０Ｒ、１３０Ｇ及び１３０Ｂの受光量）を基準（即ち、閾値）として受光量を比較することが好ましい。その後、ユーザがポインタ２００を用いてなぞる或いは指し示している部分に対応付けて、表示制御回路１６０は、対応する発光素子１１０Ｒ、１１０Ｇ及び１１０Ｂを発光させるように発光素子１１０Ｒ、１１０Ｇ及び１１０Ｂの夫々を制御する。これにより、ディスプレイ１００には、ユーザがポインタ２００を用いてなぞる或いは指し示している部分に対応付けて、所定のマーカ等が表示される。より具体的には、例えば、ユーザがなぞる或いは指し示している部分を黒色の線で表示するとすれば、受光量が増大している受光素子１３０Ｒ及び１３０Ｇに対応する発光素子１１０Ｒ及び１１０Ｇ、並びに受光量が増大している受光素子１３０Ｒ及び１３０Ｇに対応する発光素子１１０Ｒ及び１１０Ｇとひとまとまりの画素単位（即ち、相隣接するＲの画素、Ｇの画素及びＢの画素を一つずつ含む画素単位）を構成する発光素子１１０Ｇを発光させることで、ディスプレイ１００上に、黒色の線が表示される。【００７６】
他方、図６に示すように、ユーザがポインタ２００を用いてディスプレイの表面をなぞっていない或いは指し示していない場合には、発光素子１１０Ｂから発せられる青色光は、そのまま外部に向かって伝搬する。その結果、受光素子１３０Ｒ、１３０Ｇ及び１３０Ｂの夫々の受光量は変化しない。従って、ディスプレイ１００には、該ディスプレイ１００に入力される映像信号等に基づく映像が表示され、所定のマーカ等は表示されない。【００７７】
以上説明したように、受光素子１３０Ｒ、１３０Ｇ及び１３０Ｂの夫々の受光量をモニタリングすることで、ユーザがポインタ２００を用いてディスプレイ１００の表示面上の何れの部分をなぞる或いは指し示しているかを認識することができる。これにより、ユーザがポインタ２００を用いてなぞる或いは指し示している部分に対応付けて、所定の形状のマーカ等を表示することができる。【００７８】
加えて、発光素子１１０Ｒ、１１０Ｇ及び１１０Ｂの夫々は、ディスプレイ１００の一番外側に配置されている。従って、発光素子１１０Ｒ、１１０Ｇ及び１１０Ｂの夫々から、間に不要な構成要素を介在させることなく、外部に向けて光を伝搬することができる。このため、発光素子１１０Ｒ、１１０Ｇ及び１１０Ｂの夫々から発せられる光をディスプレイ１００の外部に向けて効率的に伝搬することができる。【００７９】
更に、発光素子１１０Ｒ、１１０Ｇ及び１１０Ｂの夫々からディスプレイ１００の内部に向かって発せられる光を、波長依存性半透過膜１２０Ｒ、１２０Ｇ及び１２０Ｂの夫々において反射することで、該光を外部に向けて伝搬することができる。これにより、発光素子１１０Ｒ、１１０Ｇ及び１１０Ｂから発せられる光をより無駄なくディスプレイ１００の外部に向けて伝搬することができる。【００８０】
更に、波長依存性半透過膜１２０Ｒ、１２０Ｇ及び１２０Ｂの夫々により、受光素子１３０Ｒ、１３０Ｇ及び１３０Ｂの夫々において受光される光の波長が決められている。従って、受光量が増大した受光素子１３０Ｒ、１３０Ｇ及び１３０Ｂの組合せに基づいて、何色の光（或いは、いずれの波長の光）を受光しているかを認識することができる。従って、例えば、何色の光（或いは、いずれの波長の光）を受光しているかに応じて、ディスプレイ１００に表示するマーカ等の色を選択することもできる。例えば、受光素子１３０Ｒ及び１３０Ｇの受光量が所定の基準値と比較して増大しており（或いは、所定の閾値以上であり）且つ受光素子１３０Ｂの受光量が所定の基準値と比較して増大していない（或いは、所定の閾値未満である）場合には、受光している光は青色であることを認識することができる。これに基づき、ディスプレイ１００上に、マーカ等を青色で表示することもできる。【００８１】
更に、発光素子１１０Ｒ、１１０Ｇ及び１１０Ｂ、並びに受光素子１３０Ｒ、１３０Ｇ及び１３０Ｂの夫々を、有機材料を用いて形成することができる。従って、ディスプレイ１００の厚みを相対的に薄くすることができる。また、相対的に低コストなインクジェット法等を用いてディスプレイ１００を製造することができるため、表示システム１のコストを低減することができるという利点をも有している。【００８２】
（３）ポインタ
続いて、図７から図９を参照して、ポインタ２００のより具体的な構成について説明を進める。ここに、図７は、本実施例に係る表示システム１に用いられるポインタ２００のより具体的な一の構成を概念的に示す断面図であり、図８は、本実施例に係る表示システム１に用いられるポインタ２００のより具体的な他の構成を概念的に示す断面図及び上面図であり、図９は、更に他の構成を採用するポインタを用いた場合の、本実施例に係る表示システム１の動作の態様を概念的に示す断面図である。【００８３】
図７に示すように、反射膜２０１の表面に波長選択フィルター２０２を配置してもよい。波長選択フィルター２０２は、所定の波長の光を選択的に透過し、他方所定の波長以外の波長の光を選択的に減衰、散乱ないしは吸収する。その結果、ポインタ２００の先端に設けられている反射膜２０１においては、所定の波長の光が選択的に反射され、所定の波長以外の波長の光は反射されない。これにより、受光素子１３０Ｒ、１３０Ｇ及び１３０Ｂの少なくとも一つにおいて受光される光の波長（即ち、色）を決めることができる。これは、所定の波長の（即ち、色の）レーザ光を照射するレーザポインタを用いてディスプレイ１００の表示面上の所定の部分をなぞる或いは指し示すことと同様の動作を可能とすることにつながる。【００８４】
また、ポインタ２００の先端に形成される反射膜２０１の、ポインタ２００の先端に対する角度（言い換えれば、光の光路或いはディスプレイ１００の表示面に対する角度）を変化させるように構成してもよい。具体的には、図８（ａ）に示すように、第１の状態においては、反射膜２０１が光を反射可能な状態となる一方で、図８（ｂ）に示すように、第２の状態においては、反射膜２０１が光を反射することができない状態となるように構成してもよい。そして、第１の状態と第２の状態とを切り替えるために、例えば、図８（ｃ）に示すように、第１の状態と第２の状態とを切り替えるためにユーザが押下するボタン２０３がポインタ２００の側面上に設けられている。【００８５】
このため、ユーザによるボタン２０３の押下により、反射膜２０１の角度が変化し、ポインタ２００は、光を反射したり或いは反射しなかったりすることができる。従って、ユーザがポインタ２００の軌跡に応じてマーカ等を表示することを望んでいない場合には、図８（ｂ）に示す第２の状態へと切り替えることで、ポインタ２００がディスプレイ１００の表示面をなぞっていても或いは指し示していても、不必要に或いは意図せずマーカ等が表示されてしまう不都合を防止することができる。【００８６】
また、第１の状態と第２の状態とを適宜切り替えることで、受光素子１３０Ｒ、１３０Ｇ及び１３０Ｂへの光の入射を断続的にすることができる。このような光の断続的な入射を、マウスのクリックに相当する「選択」コマンドとすれば、ディスプレイ１００の表示面上に表示されたアイコン等を選択し、該選択されたアイコンに応じた動作を行なうように構成してもよい。【００８７】
また、先端に反射膜２０１を備えるポインタ２００に代えて、図９に示すように、所定の波長（即ち、所定の色の）のレーザ光等を発することができるポインタ２１０を用いてもよい。図９に示す例では、青色レーザ光（即ち、波長が概ね４５０ｎｍ程度のレーザ光）を発するポインタ２１０を用いているが、図５に示す場合と同様に、受光素子１３０Ｒ及び１３０Ｇの夫々の受光量が増大し、受光素子１３０Ｂの受光量は微増或いは変わらない。このため、少なくとも受光量が増大している受光素子１３０Ｒ及び１３０Ｇを含む画素を、ユーザがポインタ２１０を用いて、ディスプレイ１００の表示面をなぞる或いは指し示していることを認識することができる。更に、ユーザが青色レーザ光を用いて、ディスプレイ１００の表示面をなぞる或いは指し示していることを認識することもできる。【００８８】
尚、レーザ光等を発することができるポインタ２１０を用いれば、ディスプレイ１００の表示面よりある程度離れた位置からも、ユーザは所望の部分をなぞる或いは指し示すことができるという利点を享受することができる。【００８９】
（４）変形例
続いて、図１０から図１４を参照して、本実施例に係る表示システム１の変形例について説明を進める。ここに、図１０は、本実施例に係る表示システム１の第１の変形例を概念的に示す断面図であり、図１１は、本実施例に係る表示システム１の第２の変形例を概念的に示す平面図であり、図１２は、本実施例に係る表示システム１の第３の変形例を概念的に示す断面図であり、図１３は、本実施例に係る表示システム１の第４の変形例を概念的に示す断面図であり、図１４は、本実施例に係る表示システム１の第５の変形例を概念的に示す断面図である。尚、以下の変形例の説明においては、説明の簡略化のため、表示システム１（或いは、表示システム１を構成するディスプレイ１００）の一部の構成要素を選択的に抽出して説明を進める。【００９０】
図１０に示すように、一つの発光素子１１０Ｒ、一つの受光素子１１０Ｇ及び一つの発光素子１１０Ｂからなる画素単位において、共通する一つの受光素子１３０を設けるように構成してもよい。このように構成しても、受光量の増大を検出することはできるため、ポインタ２００の反射膜２０１において反射された光がディスプレイ１００の表示面のいずれの画素部分に入射しているか（即ち、ポインタ２００がディスプレイ１００の表示面のいずれの部分をなぞる或いは指し示しているか）を好適に認識することができる。【００９１】
或いは、反射膜２０１において反射された光のディスプレイ１００の表示面上におけるスポット径等を考慮して、該スポット径を超えない範囲に分布する複数の画素毎に、共通する一つの受光素子を設けるように構成してもよい。より具体的には、反射膜において反射された光のスポット径が九つの画素（例えば、三つのＲ画素と、三つのＧ画素と、三つのＢ画素）を含む範囲に分布する場合には、九つの画素（或いは、九つ以下の複数の画素）に対して、共通する一つの受光素子１３０を設けるように構成してもよい。【００９２】
図１１に示すように、発光素子１１０Ｒ、１１０Ｇ及び１１０Ｂの長軸方向と、受光素子１３０Ｒ、１３０Ｇ及び１３０Ｂの夫々の長軸方向とが、略９０度で交わるように構成してもよい。言い換えれば、発光素子１１０Ｒ、１１０Ｇ及び１１０Ｂの長軸方向と、受光素子１３０Ｒ、１３０Ｇ及び１３０Ｂの夫々の長軸方向とが、略９０度のズレを有するように構成してもよい。【００９３】
図１２に示すように、発光素子１１０Ｒと受光素子１３０Ｒとが、ディスプレイ１００の法線方向において（即ち、ディスプレイ１００の表示面に略垂直に入射してくる光の光路上において）重ならないように構成してもよい。また、発光素子１１０Ｇと受光素子１３０Ｇとが、更には発光素子１１０Ｂと受光素子１３０Ｂとが、ディスプレイ１００の法線方向において重ならないように構成してもよい。言い換えれば、受光素子１３０Ｒ、１３０Ｇ及び１３０Ｂの夫々が、発光素子１１０Ｒ、１１０Ｇ及び１１０Ｂの夫々の間の隙間から光を受光するように構成してもよい。このとき、発光素子１１０Ｒ、１１０Ｇ及び１１０Ｂの夫々の、ディスプレイ１００の表示面側の面を除く周囲には、例えばアルミニウム等を含む反射膜１６０が形成される。【００９４】
発光素子１１０Ｒ、１１０Ｇ及び１１０Ｂの夫々から発せられた光は、反射膜１６０に反射されることで、その殆ど全てがディスプレイ１００の外部に向かって伝搬する。従って、発光素子１１０Ｒ、１１０Ｇ及び１１０Ｂの夫々から発せられる光をディスプレイ１００の外部に向けて効率的に伝搬することができる。【００９５】
また、反射膜１６０を形成したとしても、受光素子１３０Ｒ、１３０Ｇ及び１３０Ｂの夫々は、ディスプレイ１００の法線方向において、発光素子１１０Ｒ、１１０Ｇ及び１１０Ｂと重なっていないため、反射膜１６０の影響を受けることなく、外部より光が好適に入射する。そして、発光素子１１０Ｒ、１１０Ｇ及び１１０Ｂの夫々の特に側面に形成される反射膜１６０は、ディスプレイ１００に入射する光にとっては、受光素子１３０Ｒ、１３０Ｇ及び１３０Ｂまでの導光路となり得る。従って、例えばポインタ２００の先端に設けられた反射膜２０１において反射された光を、効率的に受光素子１３０Ｒ、１３０Ｇ及び１３０Ｂまで伝搬することができる。【００９６】
図１３に示すように、上述した波長依存性半透過膜１２０Ｒ、１２０Ｇ及び１２０Ｂを備えないように構成してもよい。このように構成しても、例えばポインタ２００の先端に設けられた反射膜２０１において反射された光が入射すれば、受光素子１３０Ｒ、１３０Ｇ及び１３０Ｂの受光量は増大するため、上述したように、ユーザがポインタ２００を用いてなぞる或いは指し示している部分を認識することができる。そして、波長依存性半透過膜１２０Ｒ、１２０Ｇ及び１２０Ｂを備えていないがゆえに、ディスプレイ１００の構成を相対的に簡易なものとすることができると共に、ディスプレイ１００の更なる薄型化を図ることができる。【００９７】
また、発光素子１１０Ｒ、１１０Ｇ及び１１０Ｂの夫々から発せられる光も、ある程度はディスプレイ１００の外部に向かって伝搬するため、通常の映像の表示やマーカ等の表示に耐え難いほどの支障は生じない。しかしながら、より好適な映像やマーカ等の表示という観点からは、図１３に示す構成は、発光素子１１０Ｒ、１１０Ｇ及び１１０Ｂの夫々の発光効率が相対的に高い場合に採用することが好ましい。発光素子１１０Ｒ、１１０Ｇ及び１１０Ｂの夫々の発光効率が相対的に低い場合には、上述した波長依存性半透過膜１２０Ｒ、１２０Ｇ及び１２０Ｂを備えることが好ましい。【００９８】
図１４に示すように、波長依存性半透過膜１２０Ｒ、１２０Ｇ及び１２０Ｂ、並びに受光素子１３０Ｒ、１３０Ｇ及び１３０Ｂのみを備えており、発光素子１１０Ｒ、１１０Ｇ及び１１０Ｂを備えていない構成であってもよい。この場合、発光素子１１０Ｒ、１１０Ｇ及び１１０Ｂに代えて、例えば外部のディスプレイを用いて、ユーザがポインタ２００を用いてなぞる或いは指し示している部分に対応付けて、所定の形状のマーカ等を表示するように構成してもよい。これにより、例えばタブレットの如き操作を実現することができる。【００９９】
本発明は、上述した実施例に限られるものではなく、請求の範囲及び明細書全体から読み取れる発明の要旨或いは思想に反しない範囲で適宜変更可能であり、そのような変更を伴なう表示装置もまた本発明の技術的範囲に含まれるものである。
【産業上の利用可能性】
【０１００】
本発明に係る表示装置は、例えば、ポインタ等を用いてユーザが指定している場所を表示面上に表示する機器に利用可能であり、特にこのような機器を含むディスプレイ等の表示装置に利用可能である。
【図１】
0004589389.tif 000002
【図２】
0004589389.tif 000003
【図３】
0004589389.tif 000004
【図４】
0004589389.tif 000005
【図５】
0004589389.tif 000006
【図６】
0004589389.tif 000007
【図７】
0004589389.tif 000008
【図８】
0004589389.tif 000009
【図９】
0004589389.tif 000010
【図１０】
0004589389.tif 000011
【図１１】
0004589389.tif 000012
【図１２】
0004589389.tif 000013
【図１３】
0004589389.tif 000014
【図１４】
0004589389.tif 000015